(57)【要約】【課題】利用者が画像の編集を迅速に開始することができるようにする。【解決手段】撮影作業用モニタ２３は、撮影作業が複数回行われることにより得られた複数の画像を表示し、記憶部５２は、それらの複数の画像の中から、複数の利用者の指定に応じて、利用者ごとの所定の枚数のキープ画像を記憶する。そのキープ画像を、編集作業で編集の対象となる編集対象画像として表示する編集用モニタ３１は、編集作業の開始時に、利用者ごとの所定の枚数のキープ画像のうちの、それぞれの利用者により１番目に指定されたキープ画像を、それぞれの利用者に対して、編集対象画像として表示する。本発明は、例えば、ゲームセンタ等に設置される写真シール作成装置に適用できる。【選択図】図４
2008011305.tif 000002
【特許請求の範囲】
【請求項１】
利用者を被写体とする撮影作業と、前記撮影作業により得られた画像の編集作業とを前記利用者に行わせ、前記編集作業により得られた編集済みの画像を印刷して提供する写真作成装置において、
前記撮影作業が複数回行われることにより得られた複数の前記画像を表示する撮影画像表示手段と、
前記撮影画像表示手段に表示されている複数の前記画像の中から、前記利用者の指定に応じて、所定の枚数のキープ画像を保持する保持手段と、
前記保持手段に保持されている前記キープ画像を、前記編集作業で編集の対象となる編集対象画像として表示する編集対象画像表示手段と
を備え、
前記保持手段は、複数の前記利用者の指定に応じて、前記利用者ごとに前記キープ画像を保持し、
前記編集対象画像表示手段は、複数の前記利用者ごとの所定の枚数の前記キープ画像のうちの、それぞれの前記利用者により１番目に指定されたキープ画像を、前記編集作業の開始時に、それぞれの利用者に対して、前記編集対象画像として表示する
写真作成装置。
【請求項２】
前記編集対象画像表示手段は、複数の前記利用者ごとの前記キープ画像の指定の終了に応じて、それぞれの前記利用者に対する前記キープ画像を前記編集対象画像として表示する
請求項１に記載の写真作成装置。
【請求項３】
利用者を被写体とする撮影作業と、前記撮影作業により得られた画像の編集作業とを前記利用者に行わせ、前記編集作業により得られた編集済みの画像を印刷して提供する写真作成方法において、
前記撮影作業が複数回行われることにより得られた複数の前記画像を表示させ、
複数の前記画像の中から、前記利用者の指定に応じて、所定の枚数のキープ画像を保持させ、
前記キープ画像を、前記編集作業で編集の対象となる編集対象画像として表示させる
ステップを含み、
複数の前記利用者の指定に応じて、前記利用者ごとに前記キープ画像が保持され、
複数の前記利用者ごとの所定の枚数の前記キープ画像のうちの、それぞれの前記利用者により１番目に指定されたキープ画像を、前記編集作業の開始時に、それぞれの利用者に対して、前記編集対象画像として表示させる
写真作成方法。
【請求項４】
利用者を被写体とする撮影作業と、前記撮影作業により得られた画像の編集作業とを前記利用者に行わせ、前記編集作業により得られた編集済みの画像を印刷して提供する処理をコンピュータに実行させるプログラムにおいて、
前記撮影作業が複数回行われることにより得られた複数の前記画像を表示させ、
複数の前記画像の中から、前記利用者の指定に応じて、所定の枚数のキープ画像を保持させ、
前記キープ画像を、前記編集作業で編集の対象となる編集対象画像として表示させる
ステップを含み、
複数の前記利用者の指定に応じて、前記利用者ごとに前記キープ画像が保持され、
複数の前記利用者ごとの所定の枚数の前記キープ画像のうちの、それぞれの前記利用者により１番目に指定されたキープ画像を、前記編集作業の開始時に、それぞれの利用者に対して、前記編集対象画像として表示させる
処理をコンピュータに実行させるプログラム。
【発明の詳細な説明】
【技術分野】
【０００１】
本発明は、写真作成装置および写真作成方法、並びにプログラムに関し、特に、利用者が画像の編集を迅速に開始することができるようにした写真作成装置および写真作成方法、並びにプログラムに関する。
【背景技術】
【０００２】
従来、利用者を被写体とした撮影作業を利用者に行わせ、その撮影作業により得られた画像と、予め用意されたフレーム画像とを合成してシール紙などに印刷して提供する画像プリント作成装置（例えば、プリントクラブ（登録商標））が知られている。
【０００３】
画像プリント作成装置は、利用者の指先などのタッチを検出する編集用モニタに、撮影作業により得られた画像を、編集の対象となる編集対象画像として表示する。そして、利用者は、画像プリント作成装置の編集用モニタに表示された編集対象画像上に、任意の文字や図形などを書き込む（編集する）編集作業を行う。
【０００４】
また、撮影作業を利用者に複数回行わせることで複数の画像を得て、それらの画像の中から、編集作業で用いるためにキープする所定の枚数のキープ画像を利用者に選択させる画像プリント作成装置がある（例えば、特許文献１参照）。
【０００５】
また、例えば、１つの編集用モニタに２つ編集対象画像を表示させ、または、２つの編集用モニタのそれぞれに編集対象画像を表示させて、それぞれの編集対象画像に対する編集作業を、２人の利用者に並行して行わせる画像プリント作成装置がある（例えば、特許文献２または３参照）。
【０００６】
さらに、利用者により指定された優先順位に基づいて、シール紙などに印刷される画像の配置を決定する画像プリント作成装置がある（例えば、特許文献４参照）。
【特許文献１】特開２００５−１６１７４３号公報
【特許文献２】特許第３５２９７４７号
【特許文献３】特許第３７３３１１８号
【特許文献４】特開２００６−５００６４号公報
【発明の開示】
【発明が解決しようとする課題】
【０００７】
ところで、撮影作業により得られた複数枚の画像の中から、所定の枚数のキープ画像を利用者に選択させる画像プリント作成装置においては、所定の枚数のキープ画像のうちの所定の画像が、編集の対象となる編集対象画像として、編集用モニタに表示される。
【０００８】
しかしながら、編集作業を開始するにあたり、編集用モニタに表示される編集対象画像が、利用者が真っ先に編集したい画像でなければ、利用者は、画像プリント作成装置に対し、キープ画像の中から真っ先に編集したい画像を選択する操作を行って、その画像を編集対象画像として編集用モニタに表示させなければならない。このように、利用者が画像を選択する操作を行うことで、利用者が画像の編集を開始するまでに時間がかかることがあった。
【０００９】
画像プリント作成装置では、利用者が編集作業を行うことができる編集時間が限定されており、利用者が画像の編集を開始するまでに時間がかかってしまうと、実質的な編集時間が短くなり、利用者が満足のいく編集を行うことが難しかった。
【００１０】
本発明は、このような状況に鑑みてなされたものであり、利用者が画像の編集を迅速に開始することができるようにするものである。
【課題を解決するための手段】
【００１１】
本発明の一側面の写真作成装置は、利用者を被写体とする撮影作業と、前記撮影作業により得られた画像の編集作業とを前記利用者に行わせ、前記編集作業により得られた編集済みの画像を印刷して提供する写真作成装置において、前記撮影作業が複数回行われることにより得られた複数の前記画像を表示する撮影画像表示手段と、前記撮影画像表示手段に表示されている複数の前記画像の中から、前記利用者の指定に応じて、所定の枚数のキープ画像を保持する保持手段と、前記保持手段に保持されている前記キープ画像を、前記編集作業で編集の対象となる編集対象画像として表示する編集対象画像表示手段とを備え、前記保持手段は、複数の前記利用者の指定に応じて、前記利用者ごとに前記キープ画像を保持し、前記編集対象画像表示手段は、複数の前記利用者ごとの所定の枚数の前記キープ画像のうちの、それぞれの前記利用者により１番目に指定されたキープ画像を、前記編集作業の開始時に、それぞれの利用者に対して、前記編集対象画像として表示する。
【００１２】
本発明の一側面の写真作成装置においては、撮影作業が複数回行われることにより得られた複数の画像が表示され、複数の画像の中から、複数の利用者の指定に応じて、所定の枚数のキープ画像が保持され、それぞれの利用者により指定されたキープ画像が、編集作業で編集の対象となる編集対象画像として表示される。そして、複数の利用者ごとの所定の枚数のキープ画像のうちの、それぞれの利用者により１番目に指定されたキープ画像が、編集作業の開始時に、それぞれの利用者に対して、編集対象画像として表示される。
【００１３】
したがって、それぞれの利用者が真っ先に編集したい画像を１番目に指定していれば、その画像が、それぞれの利用者に対して、編集作業の開始時に編集対象画像として表示される。これにより、利用者は、編集作業を開始するにあたり、編集対象画像を選択する操作を行わずにすむため、画像の編集を迅速に開始することができる。
【００１４】
この写真作成装置の撮影画像表示手段は、例えば、撮影作業用モニタに表示される選択対象画像表示部により構成され、保持手段は、例えば、ハードディスクやフラッシュメモリなどからなる記憶部により構成され、編集対象画像表示手段は、例えば、編集用モニタに表示される編集対象画像表示部により構成される。
【００１５】
また、編集対象画像表示手段は、複数の前記利用者ごとの前記キープ画像の指定の終了に応じて、それぞれの前記利用者に対する前記キープ画像を前記編集対象画像として表示することができる。
【００１６】
これにより、キープ画像の指定を終了した利用者が、他の利用者によるキープ画像の指定の終了を待つことなく、画像の編集を開始することができる。
【００１７】
本発明の一側面の写真作成方法またはプログラムは、利用者を被写体とする撮影作業と、前記撮影作業により得られた画像の編集作業とを前記利用者に行わせ、前記編集作業により得られた編集済みの画像を印刷して提供する写真作成方法、または、利用者を被写体とする撮影作業と、前記撮影作業により得られた画像の編集作業とを前記利用者に行わせ、前記編集作業により得られた編集済みの画像を印刷して提供する処理をコンピュータに実行させるプログラムであって、前記撮影作業が複数回行われることにより得られた複数の前記画像を表示させ、複数の前記画像の中から、前記利用者の指定に応じて、所定の枚数のキープ画像を保持させ、前記キープ画像を、前記編集作業で編集の対象となる編集対象画像として表示させるステップを含み、複数の前記利用者の指定に応じて、前記利用者ごとに前記キープ画像が保持され、複数の前記利用者ごとの所定の枚数の前記キープ画像のうちの、それぞれの前記利用者により１番目に指定されたキープ画像を、前記編集作業の開始時に、それぞれの利用者に対して、前記編集対象画像として表示させる。
【００１８】
本発明の一側面の写真作成方法およびプログラムにおいては、撮影作業が複数回行われることにより得られた複数の画像が表示され、複数の画像の中から、複数の利用者の指定に応じて、所定の枚数のキープ画像が保持され、それぞれの利用者により指定されたキープ画像が、編集作業で編集の対象となる編集対象画像として表示される。そして、複数の利用者ごとの所定の枚数のキープ画像のうちの、それぞれの利用者により１番目に指定されたキープ画像が、編集作業の開始時に、それぞれの利用者に対して、編集対象画像として表示される。
【００１９】
したがって、それぞれの利用者が真っ先に編集したい画像を１番目に指定していれば、その画像が、それぞれの利用者に対して、編集作業の開始時に編集対象画像として表示される。これにより、利用者は、編集作業を開始するにあたり、編集対象画像を選択する操作を行わずにすむため、画像の編集を迅速に開始することができる。
【発明の効果】
【００２０】
本発明の一側面においては、利用者が画像の編集を迅速に開始することができる。
【発明を実施するための最良の形態】
【００２１】
以下、本発明を適用した具体的な実施の形態について、図面を参照しながら詳細に説明する。
【００２２】
図１は、本発明の一実施の形態の写真シール作成装置１の外観構成例を示す斜視図である。
【００２３】
写真シール作成装置１は、撮影作業や編集作業をゲームとして行わせる代わりに、利用者より代金を受け取るゲーム機であり、ゲームセンタなどの店舗に設置される。
【００２４】
写真シール作成装置１の筐体１０は、複数のユニットにより構成される。筐体１０を構成する第１ユニット１１と第２ユニット１２は、所定の距離をあけて設置され、第１ユニット１１と第２ユニット１２の間に形成される空間の天井を構成する部材として、天井部１３が設けられている。なお、天井部１３の左右（撮影空間の出入り口となる側面）には、閉鎖性を向上させ、環境の安定した撮影空間を形成し、撮影空間の外部に位置する人物から撮影の様子をのぞき見されることを抑制するために、図示せぬ撮影入口カーテンが昇降自在に設けられる。
【００２５】
第１ユニット１１の面のうちの第２ユニット１２に対向する面である正面１１ａには、カメラ２１や撮影画像表示用モニタ２２が設けられる。また、正面１１ａから突出して形成される部材の上面には、撮影作業用モニタ２３が設けられ、その表示にしたがって利用者が撮影作業を行うことができるようになされている。すなわち、第１ユニット１１と第２ユニット１２に挟まれる空間が、写真シール作成装置１の利用者が撮影を行う撮影空間となる。
【００２６】
写真シール作成装置１を利用したゲームの一連の流れについては後述するが、利用者は、このようにして第１ユニット１１と第２ユニット１２の間に形成される撮影空間の中で、撮影画像表示用モニタ２２の表示を見ながら、カメラ２１に向い撮影を行う。撮影画像表示用モニタ２２には、カメラ２１により取り込まれている画像であるライブビューや、撮影結果の画像などが表示される。撮影作業用モニタ２３には、タッチパネルが重畳して設けられており、撮影の案内や、撮影の開始を指示するときに操作されるボタンなどの、撮影作業に関する情報が表示される。
【００２７】
さらに、第１ユニット１１における、正面１１ａの反対側の面である背面１１ｂ側には、第３ユニット１４が設置されている。
【００２８】
図２は、図１の写真シール作成装置１を第１ユニット１１の背面１１ｂ側より見た斜視図である。
【００２９】
第３ユニット１４は、図２に示されるように、第１ユニット１１の、撮影空間を形成する正面１１ａの反対側の背面１１ｂに接する形で、撮影空間とともに、第１ユニット１１を挟むように設けられている。
【００３０】
第３ユニット１４を構成する面のうちの、地面に対して垂直な面１４ａには照明３４が設けられ、この照明３４により、面１４ａの前方の空間が照明される。第３ユニット１４の斜面１４ｂには、編集用モニタ３１が設けられ、その左右にはタッチペン３２Ａ，３２Ｂが設けられている。面１４ｃにはスピーカ３３Ａ，３３Ｂが設けられている。
【００３１】
利用者は、撮影空間での撮影を終えた後、その撮影によって得られた画像に対して好みの文字や記号を入力するなどの編集を行うことができ、撮影画像の中から利用者によって選択された編集の対象となる画像が、編集用モニタ３１に表示される。編集用モニタ３１には、編集の対象となる画像の他に、編集に用いる各種の編集ツールを選択するときにタッチペン３２Ａ，３２Ｂによって操作されるボタンなども表示される。ここで、編集ツールは、編集の対象となる画像に対して、所定の編集を行うための仮想的な道具であり、例えば、スタンプツール、ペンツール、フレームツール、および背景ツールなどである。このように、第３ユニット１４の面のうちの面１４ａ，１４ｂ，１４ｃの前方が、利用者の画像の編集を行う編集空間となる。
【００３２】
以上のような構成は、第３ユニット１４の面１４ａ，１４ｂ，１４ｃが形成される側の反対側にも設けられている。したがって、写真シール作成装置１には第３ユニット１４を挟んで２つの編集空間が設けられており、撮影作業を終えた２つの利用者のグループが、それぞれの編集空間において時間的に並行して編集作業を行うことができるようになされている。以下、適宜、第３ユニット１４の面１４ａ，１４ｂ，１４ｃの前方にある編集空間を第１編集空間といい、第３ユニット１４を挟んで第１編集空間の反対の位置にある編集空間を第２編集空間という。
【００３３】
第１ユニット１１の背面１１ｂに平行な面である第３ユニット１４の面１４ｄにはシール紙排出口３５が設けられている。このシール紙排出口３５から、編集済みの撮影画像が印刷されたシール紙が排出される。シール紙排出口３５の前方は、編集作業をも終えた利用者が、シール紙が印刷されるのを待つ印刷待ち空間となる。
【００３４】
ここで、利用者の流れについて説明する。図３は、写真シール作成装置１を上方から見た平面図であり、矢印が利用者の移動方向を示す。利用者は、画面表示や音声による案内にしたがって矢印に示されるようにして移動することになる。
【００３５】
これから写真シール作成装置１を利用しようとする利用者Ａは、矢印＃１に示されるように、まず、撮影空間に入り、撮影作業用モニタ２３に表示される案内などにしたがって所定の金額分の硬貨を硬貨投入口（図示せず）に投入する。硬貨投入口に硬貨を投入したときに一連のゲームが開始され、撮影作業用モニタ２３には撮影作業に関する情報が表示される。
【００３６】
利用者Ａが、撮影作業用モニタ２３に表示された情報にしたがって所定の作業を行い、カメラ２１による撮影作業を終えたとき、第１編集空間と第２編集空間のうちのいずれか一方への移動の案内が、撮影作業用モニタ２３による画面表示や、スピーカからの音声によって行われる。撮影を終えた利用者Ａは、その案内にしたがって撮影空間から編集空間に移動し、編集作業を行う。図３の例においては、第１編集空間への移動が利用者Ａに対して案内されており、利用者Ａは、その案内にしたがって矢印＃２に示されるように、撮影空間から第１編集空間に移動する。
【００３７】
第１編集空間の編集用モニタ３１には編集作業に関する情報が表示される。利用者Ａが、編集用モニタ３１に表示された情報にしたがって所定の作業を行い、編集作業を終えたとき、利用者Ａは、矢印＃３に示されるように、第１編集空間から、シール紙排出口３５の前方の印刷待ち空間に移動し、編集済みの画像が印刷されたシール紙がシール紙排出口３５から排出されるのを待つ。
【００３８】
利用者Ａが、シール紙排出口３５に排出されたシール紙を受け取ることによって、一連のゲームが終了される。
【００３９】
以上のような流れによって行われる撮影作業と編集作業とには、利用者の流れを確保するために、それぞれ、例えば３分などのような制限時間があらかじめ設定されている。
【００４０】
図４は、写真シール作成装置１の内部の構成例を示すブロック図である。上述した構成と同じ構成には同じ符号を付してある。重複する説明については適宜省略する。
【００４１】
写真シール作成装置１の制御装置５１には、記憶部５２、撮影部５３、編集部５４および５５、IDタグリーダ／ライタ５６、プリンタ５８、ROM(Read Only Memory)５９、RAM(Random Access Memory)６０、通信部６１、並びにドライブ６２が接続される。
【００４２】
制御装置５１は、ROM５９に記憶されているプログラムや、記憶部５２に記憶され、RAM６０にロードされたプログラムにしたがって各部を制御し、写真シール作成装置１全体の動作を制御する。
【００４３】
記憶部５２は、ハードディスクやフラッシュメモリなどにより構成され、制御装置５１により実行されるプログラムや一連のゲームで参照される設定情報などを記憶する。撮影作業が行われたとき、後に編集の対象とされる撮影済みの画像のデータなども記憶部５２に記憶される。
【００４４】
撮影部５３は、カメラ２１、撮影画像表示用モニタ２２、撮影作業用モニタ２３、タッチパネル７１、硬貨処理部７２、照明装置７３、および音声出力部７４から構成され、この撮影部５３により撮影空間において利用者を撮影する撮影作業がなされる。
【００４５】
カメラ２１は、制御装置５１による制御にしたがって、CCD（Charge Coupled Device）やCMOS(Complementary Metal Oxide Semiconductor)イメージセンサなどの撮像素子により被写体（利用者）の動画像を撮影し、撮影して得られた画像のデータをライブビュー表示用のデータとして制御装置５１に出力する。
【００４６】
また、カメラ２１は、利用者により撮影が指示されたときに行われる制御装置５１による制御にしたがって静止画像を撮影する。カメラ２１は、撮影して得られた画像のデータを、撮影結果の画像データとして制御装置５１に出力し、制御装置５１は、カメラ２１により撮影された、後に編集の対象とされる撮影済みの画像を、記憶部５２に記憶させる。また、撮影作業においては複数回の撮影が繰り返し行われ、このようにしてカメラ２１により撮影された複数枚の画像が、記憶部５２に記憶される。
【００４７】
撮影画像表示用モニタ２２は、CRT（Cathode Ray Tube）やLCD（Liquid Crystal Display）などにより構成され、制御装置５１から供給されたライブビュー信号に基づいて、カメラ２１により取り込まれている動画を表示する。
【００４８】
撮影作業用モニタ２３は、LCDなどにより構成され、制御装置５１による制御にしたがって、撮影の仕方を案内する画面などを表示する。
【００４９】
また、撮影作業用モニタ２３は、撮影作業においてカメラ２１により撮影された複数枚の画像の画像の中から、編集対象画像としてキープされるキープ画像を利用者に選択させるための画面（例えば、後述する図５のキープ画像選択画面１０１）を表示する。ここで、キープ画像とは、後の編集作業において、編集対象画像として用いるためにキープ（保持）される画像である。
【００５０】
タッチパネル７１は、撮影作業用モニタ２３に重畳して設けられ、例えば、利用者が表面を指などでタッチする操作を検出し、利用者の操作に応じた信号を制御装置５１に供給する。例えば、キープ画像を利用者に選択させるための画面が撮影作業用モニタ２３に表示されているときに、編集対象画像としてキープしたい画像が表示されている箇所を利用者がタッチしたとすると、タッチパネル７１は、利用者の操作を検出し、利用者によりタッチされた箇所を示す信号を制御装置５１に供給する。
【００５１】
硬貨処理部７２は、図示せぬ硬貨投入口から投入された硬貨の金額を検出し、所定の代金以上の硬貨が投入されると、写真シール作成ゲーム処理の起動を指令する起動信号を制御装置５１に供給する。なお、硬貨投入口から所定の代金より多い金額の硬貨が投入された場合、硬貨処理部７２は、つり銭の金額を算出し、算出した釣り銭の硬貨を図示せぬ硬貨返却口に排出する処理を行う。
【００５２】
照明装置７３は、制御装置５１から供給される照明制御信号にしたがって発光し、カメラ２１による撮影タイミングにあわせて、撮影空間にいる利用者を照明する。
【００５３】
音声出力部７４は、制御装置５１から供給される音声信号にしたがって、撮影空間にいる利用者に向けて音声による案内を図示せぬスピーカから出力させる。
【００５４】
編集部５４は、編集用モニタ３１、タッチペン３２Ａおよび３２Ｂ、タッチパネル８１、並びに音声出力部８２から構成され、この編集部５４により第１編集空間における編集作業がなされる。
【００５５】
タッチパネル８１は、編集用モニタ３１に重畳して設けられ、タッチペン３２Ａまたは３２Ｂを用いて行われる利用者の操作を検出し、利用者の操作に応じた信号を制御装置５１に出力する。
【００５６】
音声出力部８２は、制御装置５１から供給される音声信号にしたがって、スピーカ３３Ａおよび３３Ｂ（図２）から、第１編集空間にいる利用者に向けて音声による案内を出力する。
【００５７】
編集部５５も編集部５４と同様の構成（編集用モニタ、タッチペン、タッチパネル、音声出力部）を有している。編集部５５により、第２編集空間における編集作業がなされる。
【００５８】
IDタグリーダ／ライタ５６は、制御装置５１による制御にしたがって、シール紙ユニット５７に貼り付けられているIDタグ９１に設定情報を書き込んだり、IDタグ９１に記憶されている設定情報を読み出したりする。IDタグ９１からは、例えばIDタグ９１に記憶されている識別情報なども設定情報として読み出され、制御装置５１に出力される。制御装置５１においては、IDタグリーダ／ライタ５６から通知された識別情報に基づいて、装着されているシール紙ユニット５７が写真シール作成装置１において使用可能なユニット（純正のユニット）であるか否かが判定され、使用可能なユニットであると判定されたときのみ、その使用が可能とされる。
【００５９】
シール紙ユニット５７は、写真シール作成装置１に対して着脱可能に構成されている。シール紙ユニット５７には、IDタグリーダ／ライタ５６が読み取り可能な所定の位置にIDタグ９１が貼り付けられる。シール紙ユニット５７にはシール紙９２が装填されている。
【００６０】
プリンタ５８は、利用者により編集が施されて作成された画像のデータが印刷データとして制御装置５１から供給されたとき、シール紙ユニット５７に収納されているシール紙９２に画像を印刷し、印刷したシール紙９２をシール紙排出口３５（図２）から排出する。
【００６１】
ROM５９とRAM６０は、制御装置５１が実行するプログラムや、制御装置５１が処理を行う上で必要なデータを記憶する。
【００６２】
通信部６１は、例えば、LAN（Local Area Network）、WAN（Wide Area Network）、またはインターネット等、写真シール作成装置１の外部の、有線または無線のネットワークに接続され、サーバや携帯型電話機等の他の通信装置と通信処理を行う。
【００６３】
ドライブ６２には、磁気ディスク（フレキシブルディスクを含む）、光ディスク（CD-ROM(Compact Disc-Read Only Memory)、DVD(Digital Versatile Disc)を含む）、光磁気ディスク、および、半導体メモリなどのリムーバブルメディア６３が適宜装着され、必要に応じて、リムーバブルメディア６３から読み出されたコンピュータプログラムが記憶部５２にインストールされたり、リムーバブルメディア６３から読み出されたデータが記憶部５２に保存されたりする。
【００６４】
以上のように構成される写真シール作成装置１では、カメラ２１により複数枚の画像が撮影され、撮影作業用モニタ２３にカメラ２１により撮影された複数枚の画像が表示され、その複数枚の画像の中から、編集対象画像としてキープされる所定の枚数のキープ画像が利用者により選択される。そして、写真シール作成装置１では、編集作業を開始するにあたり、所定の枚数のキープ画像のうちの、利用者により１番目に選択されたキープ画像が、編集対象画像として編集用モニタ３１に表示される。
【００６５】
次に、図５および図６は、例えば、カメラ２１により８枚の画像Ａ乃至Ｈが撮影され、２人の利用者により、それらの画像の中から３枚の画像がキープ画像として選択されて、編集作業がそれぞれ行われるときにおいて、撮影作業用モニタ２３または編集用モニタ３１に表示される画面を示している。
【００６６】
即ち、図５は、キープ画像を利用者に選択させるために、撮影作業用モニタ２３に表示されるキープ画像選択画面１０１を示す図である。
【００６７】
キープ画像選択画面１０１の上辺には、利用者にキープ画像の選択を促すためのメッセージ「みんなでらくがきするキープ画像を６枚選んでね。１人３枚まで選べるよ！」が表示されている。
【００６８】
このメッセージの右方には、利用者がキープ画像の選択に用いることができる残りの時間を表示するカウンタ１０２が設けられている。
【００６９】
また、このメッセージの下方には、カメラ２１により撮影された８枚の画像Ａ乃至Ｈ、即ち、利用者が３枚のキープ画像を選択する対象となる８枚の画像Ａ乃至Ｈを表示する選択対象画像表示部１０３および１０４が設けられている。
【００７０】
選択対象画像表示部１０３は、キープ画像選択画面１０１の左側に設けられており、選択対象画像表示部１０３に表示される画像Ａ乃至Ｈの中から、撮影作業用モニタ２３の左側に表示される画像に対する操作を行う利用者（以下、適宜、利用者Ｌという）により、３枚のキープ画像が選択される。
【００７１】
また、選択対象画像表示部１０４は、キープ画像選択画面１０１の右側に設けられており、選択対象画像表示部１０４に表示される画像Ａ乃至Ｈの中から、撮影作業用モニタ２３の右側に表示される画像に対する操作を行う利用者（以下、適宜、利用者Ｒという）により、３枚のキープ画像が選択される。
【００７２】
選択対象画像表示部１０３および１０４では、画像Ａ乃至Ｈが、横×縦が４×２となるように、左上から右下に向かって画像Ａから画像Ｈの順番で、それぞれ表示されている。
【００７３】
また、選択対象画像表示部１０３および１０４では、互いに対応する画像が、隣の利用者により選択されると、その画像に重ねて、隣の利用者により既に選択されていることを表すメッセージ「隣が選んだよ」が表示される。
【００７４】
即ち、利用者Ｌが、選択対象画像表示部１０３に表示されている画像Ａ乃至Ｈのうちの、例えば、画像Ａ，Ｅ、およびＨを選択したとすると、選択対象画像表示部１０４では、画像Ａ，Ｅ、およびＨに重ねて、画像が利用者Ｌにより既に選択されていることを表すメッセージ「隣が選んだよ」が表示される。一方、利用者Ｒが、選択対象画像表示部１０４に表示されている画像Ａ乃至Ｈのうちの、例えば、画像Ｂ，Ｆ、およびＧを選択したとすると、選択対象画像表示部１０３では、画像Ｂ，Ｆ、およびＧに重ねて、画像が利用者Ｒにより既に選択されていることを表すメッセージ「隣が選んだよ」が表示される。
【００７５】
選択対象画像表示部１０３および１０４の下方には、利用者ＬまたはＲにより、それぞれ３枚ずつ選択された６枚のキープ画像を表示するキープ画像表示部１０５が設けられている。
【００７６】
キープ画像表示部１０５の左側には、利用者Ｌにより選択された画像の順番を示す番号「１」、番号「２」、および番号「３」が、左から右に向かって、その順番で表示されている。そして、選択対象画像表示部１０３の画像Ａ乃至Ｈの中から、利用者Ｌが、例えば、画像Ａを１番目に選択したとすると、キープ画像表示部１０５の左側の番号「１」の下方には、利用者Ｌにより１番目に選択された画像Ａが表示される。なお、図５において、選択対象画像表示部１０３の画像Ａからキープ画像表示部１０５の画像Ａに向かって示されている白抜きの矢印は、選択対象画像表示部１０３の画像Ａに対する利用者Ｌによる選択が反映されて、キープ画像表示部１０５に画像Ａが表示されることを示しているだけで、実際には、キープ画像選択画面１０１に表示されない。
【００７７】
また、画像Ａと同様に、選択対象画像表示部１０３の画像Ａ乃至Ｈの中から、利用者Ｌが、例えば、画像Ｅを２番目に選択したとすると、キープ画像表示部１０５の左側の番号「２」の下方には、利用者Ｌにより２番目に選択された画像Ｅが表示され、利用者Ｌが、例えば、画像Ｈを３番目に選択したとすると、キープ画像表示部１０５の左側の番号「３」の下方には、利用者Ｌにより３番目に選択された画像Ｈが表示される。
【００７８】
キープ画像表示部１０５の右側には、キープ画像表示部１０５の左側と同様に、番号「１」、番号「２」、および番号「３」が表示されており、選択対象画像表示部１０４の画像Ａ乃至Ｈの中から、利用者Ｒが、例えば、画像Ｂを１番目に選択したとすると、キープ画像表示部１０５の右側の番号「１」の下方には、利用者Ｒにより１番目に選択された画像Ｂが表示される。
【００７９】
また、利用者Ｒが、例えば、画像Ｆを２番目に選択したとすると、キープ画像表示部１０５の右側の番号「２」の下方には、利用者Ｒにより２番目に選択された画像Ｆが表示され、利用者Ｒが、例えば、画像Ｇを３番目に選択したとすると、キープ画像表示部１０５の右側の番号「３」の下方には、利用者Ｒにより３番目に選択された画像Ｇが表示される。
【００８０】
キープ画像表示部１０５の下方の左側には、利用者Ｌがキープ画像の選択のやり直しを指示するときに操作されるやりなおしボタン１０６、および、利用者Ｌが、キープ画像の選択の決定を指示するときに操作される決定ボタン１０８が表示されている。また、キープ画像表示部１０５の下方の右側には、利用者Ｒがキープ画像の選択のやり直しを指示するときに操作されるやりなおしボタン１０７、および、利用者Ｒがキープ画像の選択の決定を指示するときに操作される決定ボタン１０９が表示されている。
【００８１】
次に、図６は、編集作業において編集用モニタ３１に表示される編集画面１２１を示す図である。
【００８２】
編集画面１２１の上辺の中央には、利用者ＬおよびＲが編集作業を行うことができる残りの時間を表示するカウンタ１２２が表示されている。
【００８３】
カウンタ１２２の下方には、利用者ＬおよびＲによるキープ画像の選択順番を示す番号「１」、番号「２」、および番号「３」が、上から下に向かって、その順番で表示されている。そして、番号「１」、番号「２」、および番号「３」の左側に、利用者Ｌが選択したキープ画像のサムネイルを表示するサムネイル表示部１２３が設けられており、番号「１」、番号「２」、および番号「３」の右側に、利用者Ｒが選択したキープ画像のサムネイルを表示するサムネイル表示部１２４が設けられている。
【００８４】
例えば、図５のキープ画像選択画面１０１において、利用者Ｌが、画像Ａ，Ｅ、およびＨをキープ画像として、その順番で選択したとすると、サムネイル表示部１２３には、利用者Ｌが選択したキープ画像である画像Ａ，Ｅ、およびＨのサムネイルが、上から下に向かって、その順番で表示される。
【００８５】
即ち、キープ画像の選択順番を示す番号「１」の左方には、利用者Ｌにより１番目に選択された画像Ａのサムネイルが表示され、キープ画像の選択順番を示す番号「２」の左方には、利用者Ｌにより２番目に選択された画像Ｅのサムネイルが表示され、キープ画像の選択順番を示す番号「３」の左方には、利用者Ｌにより３番目に選択された画像Ｈのサムネイルが表示される。
【００８６】
サムネイル表示部１２４にも、サムネイル表示部１２３と同様に、利用者Ｒが選択したキープ画像のサムネイルが表示される。例えば、利用者Ｒが、画像Ｂ，Ｆ、およびＧをキープ画像として、その順番で選択したとすると、キープ画像の選択順番を示す番号「１」の右方には、利用者Ｒにより１番目に選択された画像Ｂのサムネイルが表示され、キープ画像の選択順番を示す番号「２」の右方には、利用者Ｒにより２番目に選択された画像Ｆのサムネイルが表示され、キープ画像の選択順番を示す番号「３」の右方には、利用者Ｒにより３番目に選択された画像Ｇのサムネイルが表示される。
【００８７】
サムネイル表示部１２３の左方には、利用者Ｌが、編集作業を行う対象とする画像を表示する編集対象画像表示部１２５が設けられており、サムネイル表示部１２４の右方には、利用者Ｒが、編集作業を行う対象とする画像を表示する編集対象画像表示部１２６が設けられている。
【００８８】
図６の編集画面１２１では、編集対象画像表示部１２５には、利用者Ｌにより１番目に選択された画像Ａが表示されており、編集対象画像表示部１２６には、利用者Ｒにより１番目に選択された画像Ｂが表示されている。
【００８９】
また、例えば、編集対象画像表示部１２５に画像Ａが表示されているときに、利用者Ｌが、サムネイル表示部１２３に表示されている画像ＥまたはＨのサムネイルを、タッチペン３２Ａでタッチして選択すると、画像Ａに代えて、利用者Ｌにより選択された画像ＥまたはＨが編集対象画像表示部１２５に表示される。同様に、編集対象画像表示部１２６に画像Ｂが表示されているときに、利用者Ｒが、サムネイル表示部１２４に表示されている画像ＦまたはＧのサムネイルを、タッチペン３２Ｂでタッチして選択すると、画像Ｂに代えて、利用者Ｒにより選択された画像ＦまたはＧが編集対象画像表示部１２５に表示される。
【００９０】
サムネイル表示部１２３の下方には、編集ツール選択部１２７が設けられ、サムネイル表示部１２４の下方には、編集ツール選択部１２８が設けられている。編集ツール選択部１２７および１２８には、画像の編集に用いる各種の編集ツールを選択するときに操作されるボタンがそれぞれ表示されており、編集画面１２１においては、ペン、スタンプ、フレーム、および背景のそれぞれの編集ツールを選択するときに操作されるボタンが表示されている。
【００９１】
編集ツール選択部１２７の左方には、利用者Ｌによる編集ツールの選択に応じ、それぞれの編集ツールにおいて使用することができる編集用アイテムのアイコンを表示するアイテム選択部１２９が設けられている。
【００９２】
例えば、利用者Ｌが編集ツール選択部１２７のスタンプのボタンを操作して、スタンプを選択すると、アイテム選択部１２９には、編集対象画像にスタンプすることができる画像のアイコンが表示される。編集対象画像にスタンプすることができる画像としては、例えば、「笑顔」、「星」、「水滴」、「十字架」、「ひし形」などがある。
【００９３】
編集ツール選択部１２８の右方にも、アイテム選択部１２９と同様に、利用者Ｒにより操作されるアイテム選択部１３０が設けられている。
【００９４】
編集ツール選択部１２７の下方には、編集作業を終了させるときに利用者Ｌにより操作される終りボタン１３１が設けられており、編集ツール選択部１２８の下方には、編集作業を終了させるときに利用者Ｒにより操作される終りボタン１３２が設けられている。
【００９５】
なお、利用者Ｌは、利用者Ｒが選択したキープ画像、即ち、サムネイル表示部１２４に表示されているサムネイルの画像Ｂ，Ｆ、およびＧからも、編集対象画像を選択することができ、例えば、利用者Ｌが、タッチペン３２Ａを用いて、サムネイル表示部１２４のサムネイルをタッチすると、そのサムネイルの画像が編集対象画像表示部１２５に表示される。但し、この場合、利用者Ｒは、利用者Ｌにより選択された画像を、編集対象画像として選択することはできなくなる。同様に、利用者Ｒも、利用者Ｌが選択したキープ画像、即ち、サムネイル表示部１２３に表示されているサムネイルの画像Ａ，Ｅ、およびＨからも、編集対象画像を選択することができ、例えば、利用者Ｒが、タッチペン３２Ｂを用いて、サムネイル表示部１２３のサムネイルをタッチすると、そのサムネイルの画像が編集対象画像表示部１２６に表示される。この場合も、利用者Ｌは、利用者Ｒにより選択された画像を、編集対象画像として選択することはできなくなる。
【００９６】
次に、写真シール作成ゲーム処理の主な流れを、図７のフローチャートを参照して説明する。
【００９７】
図４の制御装置５１は、写真シール作成ゲーム処理を開始する前に、撮影作業用モニタ２３に、ゲーム待機画面を表示させている。このゲーム待機画面には、例えば、「お金を入れてね！」などのメッセージが表示される。なお、メッセージは、スピーカにより構成されている音声出力部７４から音声出力されてもよい。
【００９８】
図示せぬ硬貨投入口から硬貨が投入されると、ステップＳ１１において、硬貨処理部７２は、硬貨の金額を検出し、所定の代金以上の硬貨が投入された場合、写真シール作成ゲーム処理の起動を指令する起動信号を制御装置５１に供給する。
【００９９】
ステップＳ１２において、制御装置５１は、利用者の操作を基に、撮影モードを選択する撮影設定処理を行う。撮影モードは、撮影時の照明の明るさ、背景、または撮影画像に対する画像処理などの各種のパラメータを予めパターン化したものであり、利用者はこの撮影モードを複数のモードの中から選択することにより、簡易的に撮影に関する設定を行うことができる。
【０１００】
ステップＳ１３において、制御装置５１は、カメラ２１などの撮影部５３の各部を制御し、撮影処理を行い、被写体（利用者）の撮影を行う。利用者は、この撮影処理に対して、ポーズを取ったり、撮影タイミングの指示を出したりして撮影作業を行い、撮影部５３に複数の撮影画像を生成させる。例えば、撮影処理において、８枚の画像が撮影された場合に、図５に示すように、キープ画像選択画面１０１に８枚の画像Ａ乃至Ｈが表示される。
【０１０１】
ステップＳ１４において、制御装置５１は、図５のキープ画像選択画面１０１を撮影作業用モニタ２３に表示させ、ステップＳ１３の撮影処理において撮影された複数枚の画像の中から、所定の枚数のキープ画像を利用者に選択させるキープ画像選択処理を行う。キープ画像選択処理の詳細については、図８を参照して後述する。
【０１０２】
ステップＳ１５において、制御装置５１は、撮影空間において撮影作業を終了した利用者に対して画像や音声などで第１編集空間または第２編集空間への移動を促す移動案内処理を行う。具体的には、制御装置５１は、撮影空間の利用者に対して第１編集空間または第２編集空間への移動案内の画像を表示したり、移動を促すメッセージを音声出力したりする。利用者は移動の案内に従い、撮影空間から退出して第１編集空間または第２編集空間に移動する。
【０１０３】
ステップＳ１６において、制御装置５１は、編集部５４または編集部５５の各部を制御し、図６の編集画面１２１を編集用モニタ３１に表示させる編集画面表示処理を行う。編集画面表示処理の詳細については、図９を参照して後述する。
【０１０４】
ステップＳ１７において、制御装置５１は、編集部５４または編集部５５の各部を制御し、第１編集空間または第２編集空間へ移動した利用者に対して、例えば、落書きやスタンプなどの、撮影画像に対する編集作業を利用者に行わせる編集処理を行う。
【０１０５】
ステップＳ１８において、制御装置５１は、利用者にシール紙９２のレイアウト（印刷画像のレイアウト）を選択的に設定させた後、プリンタ５８を制御し、その印刷設定に基づいて印刷処理を実行させ、編集された撮影画像を写真シール紙に印刷し、それを利用者に提供する処理を行う。
【０１０６】
ステップＳ１９において、制御装置５１は、印刷処理が終了するまでの間、第１編集空間または第２編集空間で印刷処理の終了を待つ利用者に対して事後接客処理を行い、編集済み画像を利用者が所有する携帯電話機に転送したり、ミニゲームなどのサービスを提供したりする。印刷処理が終了すると、処理は、ステップＳ２０に進む。
【０１０７】
ステップＳ２０において、制御装置５１は、プリンタ５８を制御し、シール紙９２を排出させ、写真シール作成ゲーム処理を終了する。
【０１０８】
写真シール作成装置１の各部は、利用者の各組に対して、それぞれ、以上のような写真シール作成ゲーム処理を実行する。
【０１０９】
次に、図８は、図７のステップＳ１４におけるキープ画像選択処理を説明するフローチャートである。なお、以下では、撮影作業用モニタ２３の左側に表示される画像に対する操作を行う利用者Ｌによる選択に対して行われるキープ画像選択処理について説明する。
【０１１０】
ステップＳ３１において、図４の制御装置５１は、図５のキープ画像選択画面１０１を撮影作業用モニタ２３に表示させ、図７のステップＳ１３の撮影処理でカメラ２１により撮影された画像を、キープ画像選択画面１０１の選択対象画像表示部１０３に表示させる。図７のステップＳ１３において、例えば、画像Ａ乃至Ｈの８枚の画像が撮影されている場合、ステップＳ３１では、その８枚の画像Ａ乃至Ｈが、選択対象画像表示部１０３に表示される。
【０１１１】
ステップＳ３１の処理後、ステップＳ３２に進み、制御装置５１は、利用者Ｌにより画像が選択された順番を示す変数ｎLを、初期値としての１にセットし、ステップＳ３３に進む。
【０１１２】
ステップＳ３３において、制御装置５１は、選択対象画像表示部１０３に表示された画像Ａ乃至Ｈの中から、利用者Ｌによりキープ画像が選択されたか否かを判定する。
【０１１３】
上述したように、撮影作業用モニタ２３には、タッチパネル７１が重畳して設けられており、利用者Ｌによりタッチパネル７１の表面がタッチされると、タッチパネル７１は、利用者Ｌによりタッチされた箇所を示す信号を制御装置５１に供給する。制御装置５１は、タッチパネル７１から供給された利用者Ｌによりタッチされた箇所を示す信号により示される箇所が、選択対象画像表示部１０３の画像Ａ乃至Ｈのいずれかが表示されている箇所である場合、利用者Ｌによりキープ画像が選択されたと判定し、ステップＳ３４に進む。
【０１１４】
ステップＳ３４において、制御装置５１は、タッチパネル７１から供給された信号に基づき、利用者Ｌによりタッチされた箇所に表示されていた画像を特定し、その画像に、利用者Ｌにより画像が選択された順番を示す変数ｎLを対応付けて、記憶部５２に記憶させる。
【０１１５】
例えば、キープ画像選択画面１０１の選択対象画像表示部１０３に表示されている画像Ａが利用者Ｌにより１番目にタッチされ、タッチパネル７１が、その箇所を示す信号を制御装置５１に供給したとする。この場合、制御装置５１は、タッチパネル７１から供給された信号に基づき、利用者Ｌによりタッチされた箇所に表示されていた画像Ａを特定し、その画像Ａに、利用者Ｌにより１番目に選択されたことを示す１を対応付けて、記憶部５２に記憶させる。
【０１１６】
ステップＳ３４の処理後、ステップＳ３５に進み、制御装置５１は、ステップＳ３４で利用者Ｌにより選択された画像を、図５のキープ画像表示部１０５の所定の箇所、即ち、利用者Ｌに選択された順番に対応する箇所に表示する。
【０１１７】
例えば、利用者Ｌが画像Ａを１番目に選択したとすると、制御装置５１は、キープ画像表示部１０５の番号「１」の下方に画像Ａを表示する。また、制御装置５１は、キープ画像選択画面１０１の右側に表示されている選択対象画像表示部１０４に表示されている画像Ａ乃至Ｈのうちの、ステップＳ３４で利用者Ｌにより選択された画像に対応する画像に、利用者Ｌにより既に選択されていることを表すメッセージ「隣が選んだよ」を表示する。
【０１１８】
ステップＳ３５の処理後、ステップＳ３６に進み、制御装置５１は、図５の決定ボタン１０８が利用者Ｌにより操作されたか否かを判定する。
【０１１９】
ステップＳ３６において、制御装置５１が、決定ボタン１０８が利用者Ｌにより操作されていないと判定した場合、例えば、利用者Ｌによりタッチされた箇所を示す信号がタッチパネル７１から供給されていない場合や、利用者Ｌによりタッチされた箇所を示す信号がタッチパネル７１から供給されても、その信号により示される箇所が、決定ボタン１０８が表示されている箇所以外である場合、ステップＳ３７に進む。
【０１２０】
ステップＳ３７において、制御装置５１は、利用者Ｌにより画像が選択された順番を示す変数ｎLを１だけインクリメントして、ステップＳ３３に戻り、以下、ステップＳ３３からの処理が繰り返されることにより、利用者Ｌにより次の順番となる画像が選択される。
【０１２１】
ここで、例えば、キープ画像を選択することができる所定の枚数が３枚である場合に、利用者Ｌにより３枚の画像が既に選択され、変数ｎLが３となっているとき、制御装置５１は、ステップＳ３７をスキップしてステップＳ３３に戻る。なお、この場合、利用者Ｌは、図５のやりなおしボタン１０６を操作するまで、画像を選択することができなくなる。
【０１２２】
一方、ステップＳ３３において、制御装置５１が、利用者Ｌによりキープ画像が選択されていないと判定した場合、ステップＳ３８に進み、制御装置５１は、キープ画像選択処理が開始されてから所定の時間経過したか否かを判定する。
【０１２３】
ステップＳ３８において、制御装置５１が、キープ画像選択処理が開始されてから所定の時間が経過していないと判定した場合、ステップＳ３９に進み、制御装置５１は、やりなおしボタン１０６が利用者Ｌにより操作されたか否かを判定する。
【０１２４】
ステップＳ３９において、制御装置５１が、やりなおしボタン１０６が利用者Ｌにより操作されていないと判定した場合、ステップＳ３３に戻り、以下、ステップＳ３３からの処理が繰り返される。一方、ステップＳ３９において、制御装置５１が、やりなおしボタン１０６が利用者Ｌにより操作されたと判定した場合、制御装置５１は、利用者Ｌによる選択をリセットして、ステップＳ３２に戻り、以下、ステップＳ３２からの処理が繰り返される。
【０１２５】
一方、ステップＳ３８において、キープ画像選択処理が開始されてから所定の時間が経過したと判定された場合、ステップＳ４０に進む。
【０１２６】
また、ステップＳ３６において、決定ボタン１０８が利用者Ｌにより操作されたと判定された場合も、ステップＳ４０に進む。
【０１２７】
ステップＳ４０において、制御装置５１は、利用者Ｌによるキープ画像の選択を決定し、キープ画像選択処理を終了する。
【０１２８】
なお、図８では、撮影作業用モニタ２３の左側に表示される画像に対する操作を行う利用者Ｌによる選択に対して行われるキープ画像選択処理について説明したが、このキープ画像選択処理と並行して、撮影作業用モニタ２３の右側に表示される画像に対する操作を行う利用者Ｒによる選択に対しても、同様のキープ画像選択処理を行うことができる。例えば、利用者Ｒによる選択に対して行われるキープ画像選択処理では、利用者Ｒにより画像が選択された順番を示す変数ｎRを用いて、同様のキープ画像選択処理が行われる。
【０１２９】
次に、図９は、図７のステップＳ１６における編集画面表示処理を説明するフローチャートである。なお、以下では、図６の編集画面１２１の左側の編集対象画像表示部１２５に編集対象画像が表示される編集画面表示処理について説明する。
【０１３０】
ステップＳ５１おいて、制御装置５１は、図８のステップＳ３４で記憶部５２に記憶させた画像を読み出し、その画像のサムネイルを作成し、その画像に対応付けられている変数ｎLに応じて、図６のサムネイル表示部１２３の所定の箇所に、サムネイルを表示する。
【０１３１】
例えば、利用者Ｌが、３枚の画像Ａ、画像Ｅ、および画像Ｈを、この順番で選択していたとする。この場合、図８のステップＳ３４では、画像Ａに１が対応付けられ、画像Ｅに２が対応付けられ、画像Ｈに３が対応付けられている。したがって、ステップＳ５１において、制御装置５１は、サムネイル表示部１２３のキープ画像の順番を示す番号「１」の左側の箇所に、画像Ａのサムネイルを表示し、サムネイル表示部１２３のキープ画像の順番を示す番号「２」の左側の箇所に、画像Ｅのサムネイルを表示し、サムネイル表示部１２３のキープ画像の順番を示す番号「３」の左側の箇所に、画像Ｈのサムネイルを表示する。
【０１３２】
ステップＳ５１の処理後、ステップＳ５２に進み、制御装置５１は、利用者Ｌにより１番目に選択されたキープ画像、即ち、１が対応付けられているキープ画像を、図６の編集対象画像表示部１２５に表示する。例えば、利用者Ｌが、画像Ａを１番目に選択している場合、制御装置５１は、画像Ａを編集対象画像表示部１２５に表示する。
【０１３３】
ステップＳ５２の処理後、制御装置５１は、サムネイル表示部１２３および編集対象画像表示部１２５以外の、カウンタ１２２や、編集ツール選択部１２７、アイテム選択部１２９、終りボタン１３１などを表示し、それらの表示が終わると、編集画面表示処理を終了する。
【０１３４】
なお、編集画面１２１の右側の編集対象画像表示部１２６に編集対象画像を表示する編集画面表示処理においては、利用者Ｒにより画像が選択された順番を示す変数ｎRを用いて、図９を参照して説明した編集画面表示処理と同様の処理が行われる。
【０１３５】
以上のように、編集画面表示処理において、利用者Ｌにより１番目に選択されたキープ画像が、編集対象画像表示部１２５に表示されるので、利用者Ｌが、真っ先に編集したい画像を１番目に選択していれば、編集作業の開始時に、その画像が編集対象画像表示部１２５に表示される。これにより、利用者Ｌは、編集作業を開始するにあたり、編集対象画像を選択する作業を行わずにすみ、画像を編集する作業を迅速に開始することができる。
【０１３６】
また、編集画面表示処理において、利用者Ｒにより１番目に選択されたキープ画像も、編集対象画像表示部１２６に表示されるので、利用者Ｒも、画像を編集する作業を迅速に開始することができる。
【０１３７】
このように、利用者ＬおよびＲが、画像を編集する作業を迅速に開始することができる場合においては、編集作業を開始するにあたり編集対象画像を選択する作業を行う場合よりも、画像の編集に費やすことができる時間を長くすることができる。画像の編集に費やすことができる時間を長くすることができることにより、利用者ＬおよびＲは、満足のいく編集を行うことができ、満足度を向上させることができる。
【０１３８】
なお、図５のキープ画像選択画面１０１においては、利用者ＬおよびＲのそれぞれにより、キープ画像が３枚ずつ選択されるようになっているが、例えば、利用者ＬおよびＲの２人により選択されるキープ画像の合計の枚数を６枚と設定し、利用者ＬおよびＲのそれぞれに、任意の枚数のキープ画像を選択させるようにしてもよい。
【０１３９】
即ち、図１０は、利用者ＬおよびＲのそれぞれが任意の枚数のキープ画像を選択することができるキープ画像選択画面１０１の例を示す図である。
【０１４０】
例えば、図１０のキープ画像選択画面１０１の上辺には、選択可能なキープ画像の合計の枚数が６枚であることを表すメッセージ「みんなでらくがきするキープ画像を６枚選んでね。」が表示され、キープ画像表示部１０５には、利用者Ｌおよび利用者Ｒのそれぞれにより選択された画像に対して、選択された順番を示す番号が表示される。
【０１４１】
例えば、利用者Ｌが、２枚の画像Ａ、および画像Ｅを、この順番で選択し、利用者Ｒが４枚の画像Ｂ、画像Ｈ、画像Ｆ、および画像Ｇを、この順番で選択したとする。この場合、図１０のキープ画像選択画面１０１のキープ画像表示部１０５には、左側から順番に、画像Ａ、画像Ｅ、画像Ｂ、画像Ｈ、画像Ｆ、および画像Ｇが表示されるとともに、画像Ａの上方には、利用者Ｌにより１番目に選択された順番を示す番号「１」が表示され、画像Ｅの上方には、利用者Ｌにより２番目に選択された順番を示す番号「２」が表示され、画像Ｂの上方には、利用者Ｒにより１番目に選択された順番を示す番号「１」が表示され、画像Ｈの上方には、利用者Ｒにより２番目に選択された順番を示す番号「２」が表示され、画像Ｆの上方には、利用者Ｒにより３番目に選択された順番を示す番号「３」が表示され、画像Ｇの上方には、利用者Ｒにより４番目に選択された順番を示す番号「４」が表示される。
【０１４２】
また、図５および図１０のキープ画像選択画面１０１に示すように、キープ画像表示部１０５を設けるのではなく、選択対象画像表示部１０３または１０４に表示されている画像Ａ乃至Ｈのうちの、利用者Ｌまたは利用者Ｒにより選択された画像に重ねて、選択された順番を示す番号を表示してもよい。
【０１４３】
即ち、図１１は、利用者Ｌまたは利用者Ｒにより選択された画像に重ねて、選択された順番を示す番号を表示するキープ画像選択画面１０１の例を示す図である。
【０１４４】
図１１のキープ画像選択画面１０１では、キープ画像表示部１０５が設けられておらず、その分、選択対象画像表示部１０３および１０４が、図５の場合に比較して、大に表示されている。
【０１４５】
即ち、図１１のキープ画像選択画面１０１の上辺には、利用者Ｌおよび利用者Ｒのそれぞれが３枚のキープ画像の選択することができることを示すメッセージ「みんなでらくがきするキープ画像を６枚選んでね。１人３枚まで選べるよ！」が表示され、キープ画像選択画面１０１の左側に、選択対象画像表示部１０３が表示され、キープ画像選択画面１０１の右側に、選択対象画像表示部１０４が表示されている。
【０１４６】
例えば、利用者Ｌが、３枚の画像Ａ、画像Ｅ、および画像Ｈを、この順番で選択し、利用者Ｒが３枚の画像Ｂ、画像Ｆ、および画像Ｇを、この順番で選択したとする。この場合、図１１のキープ画像選択画面１０１の選択対象画像表示部１０３では、画像Ａに重ねて、利用者Ｌにより１番目に選択された順番を示す番号「１」が表示され、画像Ｅに重ねて、利用者Ｌにより２番目に選択された順番を示す番号「２」が表示され、画像Ｈに重ねて、利用者Ｌにより３番目に選択された順番を示す番号「３」が表示される。また、選択対象画像表示部１０４では、画像Ｂに重ねて、利用者Ｒにより１番目に選択された順番を示す番号「１」が表示され、画像Ｆに重ねて、利用者Ｒにより２番目に選択された順番を示す番号「２」が表示され、画像Ｇに重ねて、利用者Ｒにより３番目に選択された順番を示す番号「３」が表示される。
【０１４７】
図１１のキープ画像選択画面１０１では、上述したように、キープ画像表示部１０５を設けない分、選択対象画像表示部１０３および１０４を大きく表示し、ひいては、画像Ａ乃至Ｈを大きく表示することができる。これにより、画像Ａ乃至Ｈが小さく表示される図５や図１０の場合に比べて、利用者が、キープ画像を選択しやすくなる。さらに、画像Ａ乃至Ｈが大きく表示されることで、利用者は、画像の細部まで容易に確認することができ、利用者の好みの画像を、編集対象画像として選択することができる。
【０１４８】
なお、本実施の形態においては、例えば、キープ画像選択画面１０１の選択対象画像表示部１０３では、利用者Ｒにより選択された画像に重ねて、利用者Ｒにより既に選択されていることを表すメッセージ「隣が選んだよ」を表示していたが、このようなメッセージを表示する以外に、例えば、利用者Ｒにより選択された画像の色調のトーンを低減させることにより、利用者Ｒにより既に選択されていることを利用者Ｌに認識させることができる。
【０１４９】
さらに、このようなメッセージを表示したり、画像の色調のトーンを変更したりせずに、利用者ＬおよびＲが、同一の画像をキープ画像として選択することができるようにしてもよい。同一の画像を利用者ＬおよびＲに選択させることにより、選択される画像の合計の枚数が少なくなる（例えば、合計６枚の画像を選択することができるときに、利用者ＬおよびＲが同一の１枚の画像を選択したとすると、合計の枚数は５枚になる）ので、１枚あたりの画像の編集に費やすことができる時間を長くすることができ、より満足のいく編集を行うことができる。
【０１５０】
また、キープ画像選択画面１０１に、やりなおしボタン１０６および１０７を設けずに、キープ画像表示部１０５に表示されている画像を利用者がタッチすると、その画像の選択が解除されるようにしてもよい。
【０１５１】
なお、撮影作業用モニタ２３にキープ画像表示部１０５を表示させて、撮影空間にいる利用者に対してキープ画像選択処理（図７のステップＳ１４）を行う以外に、例えば、撮影処理（図７のステップＳ１３）の処理後に移動案内処理（図７のステップＳ１５）を行い、編集用モニタ３１にキープ画像表示部１０５を表示させて、編集空間にいる利用者に対してキープ画像選択処理を行ってもよい。
【０１５２】
この場合、キープ画像選択画面１０１と編集画面１２１のいずれもが、編集用モニタ３１に表示されることになる。そして、例えば、利用者Ｒがキープ画像の選択を終了するより先に、利用者Ｌがキープ画像の選択を終了して終りボタン１３１を操作すると、編集用モニタ３１の左側に、編集画面１２１を表示させることができる。即ち、編集用モニタ３１の右側にキープ画像選択画面１０１の右半分を表示させたまま、編集用モニタ３１の左側に編集画面１２１の左半分を表示させることができる。
【０１５３】
これにより、利用者Ｌは、利用者Ｒよりも先に編集作業を開始することができる。そして、利用者Ｒが編集作業を開始した時点から、編集作業を行うことができる残り時間のカウントが開始されるようにされているとすると、キープ画像の選択を先に終了した利用者Ｌは、編集作業をより長く行うことができ、さらに満足のいく編集をすることができる。
【０１５４】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１５５】
また、本発明の実施の形態は、上述した実施の形態に限定されるものではなく、本発明の要旨を逸脱しない範囲において種々の変更が可能である。
【図面の簡単な説明】
【０１５６】
【図１】本発明の一実施の形態の写真シール作成装置１の外観構成例を示す斜視図である。
【図２】写真シール作成装置１を第１ユニット１１の背面１１ｂ側より見た斜視図である。
【図３】写真シール作成装置１を上方から見た平面図である。
【図４】写真シール作成装置１の内部の構成例を示すブロック図である。
【図５】キープ画像選択画面１０１を示す図である。
【図６】編集画面１２１を示す図である。
【図７】写真シール作成ゲーム処理の主な流れを説明するフローチャートである。
【図８】キープ画像選択処理を説明するフローチャートである。
【図９】編集画面表示処理を説明するフローチャートである。
【図１０】キープ画像選択画面の他の例を示す図である。
【図１１】キープ画像選択画面のさらに他の例を示す図である。
【符号の説明】
【０１５７】
１  写真シール作成装置
２３  撮影作業用モニタ
３１  編集用モニタ
５２  記憶部
１０１  キープ画像選択画面
１０３および１０４  選択対象画像表示部
１０５  キープ画像表示部
１２１  編集画面
１２３および１２４  サムネイル表示部
１２５および１２６  編集対象画像表示部
【図１】
2008011305.tif 000003
【図２】
2008011305.tif 000004
【図３】
2008011305.tif 000005
【図４】
2008011305.tif 000006
【図５】
2008011305.tif 000007
【図６】
2008011305.tif 000008
【図７】
2008011305.tif 000009
【図８】
2008011305.tif 000010
【図９】
2008011305.tif 000011
【図１０】
2008011305.tif 000012
【図１１】
2008011305.tif 000013